(57)【特許請求の範囲】
【請求項１】
溶解液入り容器の密閉口部に刺入可能な一方針部と、
一方針部に接続していて薬剤入り容器の密閉口部に刺入可能な他方針部と、
他方針部と同心状に一体に形成されていて上記薬剤入り容器の密閉口部を挿入できる実質的に筒状の差込口とを備え、
差込口は上部がスリットにより複数の平面円弧状部に分割され、下部は３６０°の全範囲に亘って連続し、
該平面円弧状部には、上記差込口内に薬剤入り容器の密閉口部を挿入し他方針部を該密閉口部に刺入貫通した状態に於いて、該密閉口部の後端の凹段部に保有弾性に抗し係止する、該平面円弧状部の高さ方向の中央部分から上端にかけて形成された係止突部が設けられ、
前記差込口には、前記係止突部から前記平面円弧状部上を下方に延び、３６０°連続する部分にかけて形成され、上記状態に於いて密閉口部の外周面に圧接する少なくとも１本の縦凸条が備えられていることを特徴とするプラスチック製両頭針。
【請求項２】
上記係止突部が平面円弧状部の弧に沿って延出するように形成されていることを特徴とする請求項１記載の両頭針。
【請求項３】
縦凸条が、係止突部の左右両側部または左右両側部と中間部とに位置するように形成されていることを特徴とする請求項２記載の両頭針。
【請求項４】
係止突部の突出高さは延出角度範囲の中間点が最も大きく、両端に至るに従い漸進的に減少していることを特徴とする請求項２に記載の両頭針。
【請求項５】
係止突部の突出高さが、延出角度範囲の全体に亘って略々同一であることを特徴とする請求項２に記載の両頭針。
【請求項６】
係止突部の下端係止部に、型抜きのための傾斜が付されていることを特徴とする請求項１〜５のいずれかに記載の両頭針。
【請求項７】
縦凸条の高さが係止突部の最大高さの１／２以下であることを特徴とする請求項１〜６に記載の両頭針。
【請求項８】
溶解液入り容器の上端の密閉口部に、該口部から上方へ同心状に突出するようにサポートリングが取り外し可能に接続固定され、該サポートリング内に請求項１〜７のいずれかに記載の両頭針が、上記密閉口部への刺入前の上動限界位置と密閉口部に刺入貫通可能な下動限界位置との間を摺動移動可能に嵌装されていることを特徴とする両頭針付き溶解液入り容器。
【請求項９】
両頭針が、サポートリング内での振れを防止するための振れ止め部を備えていることを特徴とする請求項８に記載の溶解液入り容器。
【請求項１０】
両頭針の振れ止め部とサポートリングとが、上記振れ止め部の外周面に形成の縦方向延出リブを介し当接する構成になっていることを特徴とする請求項９に記載の溶解液入り容器。
【請求項１１】
両頭針の振れ止め部とサポートリングとが、該サポートリングの内周面に形成の縦方向延出リブを介し当接する構成になっていることを特徴とする請求項９に記載の溶解液入り容器。
【発明の詳細な説明】
【０００１】
【発明の属する技術分野】
本発明は、溶解液入り容器と薬剤入り容器とを内部連通状態に結合し、後者容器内での薬剤溶解と、薬剤溶解液の前者容器内への移動を行うための両頭針に関する。
【０００２】
【従来の技術】
図１２は従来の両頭針Ａ′の一使用状況を示し、両頭針Ａ′は溶解液入り容器ａと、ビタミン剤、抗生剤などの薬剤入り容器ｂとを内部連通状態に結合している。この結合状態のもとに薬剤入り容器ｂ内での所定の薬剤溶解操作と、薬剤溶解液の溶解液入り容器ａ側への移動操作が行われ、薬剤溶解液の移動を終えた後は、両容器の結合が解かれる。
【０００３】
従来提供されている両頭針Ａ′には、針抜け順序を規制する手段は特になにも備えられていないので、両容器の結合を解くときに、両頭針Ａ′が溶解液入り容器ａ側に残る場合と薬剤入り容器ｂ側に残る場合とがあり、図１３に示すように前者容器ａ側に残る場合には、該容器ａ内が両頭針Ａ′を通じ外気に連通し容器内部が汚染される恐れがあった。
【０００４】
【発明が解決しようとする課題】
本出願人は先に、両頭針に係止突部を備え、該係止突部を薬剤入り容器の口部後端の凹段部に係止せしめることにより、薬剤入り容器側の針抜け抵抗を溶解液入り容器側より高くなるようになし、もって両頭針の針抜けを常に溶解液入り容器側で起こさせるという、針抜け順序規制の提案（例えば実開平７−１２１４１号公報参照）をなし、一応の成果を上げている。
【０００５】
ところが、両頭針はプラスチックから一体成形され、係止突部の下端の係止部には型抜きの必要性からどうしても角度を持たせることが必要になり、係止突部の適用だけでは係止力不足となり針抜け順序の規制が不安定となり、より一層の改善が望まれていた。
【０００６】
本発明はこのような要望に鑑みなされたものである。
【０００７】
【課題を解決するための手段】
本発明は、溶解液入り容器の密閉口部に刺入可能な一方針部と、一方針部に接続していて薬剤入り容器の密閉口部に刺入可能な他方針部と、他方針部と同心状に一体に形成されていて上記薬剤入り容器の密閉口部を挿入できる実質的に筒状の差込口とを備え、差込口は上部がスリットにより複数の平面円弧状部に分割され、下部は３６０°の全範囲に亘って連続し、該平面円弧状部には、上記差込口内に薬剤入り容器の密閉口部を挿入し他方針部を該密閉口部に刺入貫通した状態に於いて、該密閉口部の後端の凹段部に保有弾性に抗し係止する、該平面円弧状部の高さ方向の中央部分から上端にかけて形成された係止突部が設けられ、前記差込口には、前記係止突部から前記平面円弧状部上を下方に延び、３６０°連続する部分にかけて形成され、上記状態に於いて密閉口部の外周面に圧接する少なくとも１本の縦凸条が備えられていることを特徴とするプラスチック製両頭針に係る。
【０００８】
【発明の実施の形態】
以下に、本発明の一実施形態を添付図面に基づき説明すると次の通りである。
【０００９】
本発明両頭針の一実施形態が図１〜２に示され、該両頭針Ａはプラスチック例えばポリエチレン、ポリプロピレン等から例えば射出成形手段を適用して全体が同時一体成形される。
【００１０】
両頭針Ａは溶解液入り容器ａの密閉口部ａ1に刺入可能な一方針部１と、該一方針部１に接続していて、薬剤入り容器ｂの密閉口部ｂ1に刺入可能な他方針部２とを備え、これら針部１、２は円板状乃至これと類似する形状例えば正多角形状の針ホルダー３の中心部に貫通状態に保持されている。
【００１１】
両頭針Ａの各構成要素の内、上記針部１、２を除く部分は全てプラスチック製であり、針部１、２はプラスチック製及び金属製のいずれでもよい。後者の場合はインサート成形手段を適用し、他のプラスチック構成部分と同時一体成形することができる。
【００１２】
針ホルダー３は、他方針部２側の面に該針部２と同心の実質的に筒状の差込口４を一体に備えている。
【００１３】
筒状差込口４は薬剤入り容器ｂの密閉口部ｂ1の挿入をガイドするためのものであり、該口部ｂ1の外径と略々等しいか或いはこれより若干大きい内径を有し、その上部４ａは等間隔配置の複数個例えば４個のスリット５により４つの円弧状部４ａ1に分割され、下部４ｂは３６０°の全範囲に亘って連続している。
【００１４】
筒状差込口４の円弧状部４ａ1には、それぞれ上端寄りの部分に内方突出の係止突部６が形成されている。
【００１５】
係止突部６は、図１に示すように、円弧状部４ａ1の両端部を除く中央領域に、延出角度範囲の全体に亘って略々同一高さに形成されている。
【００１６】
係止突部６は内型を抜くときにアンダーカット部となるが、筒状差込口４の上部４ａを先に述べたようにスリット５により円弧状部４ａ1に分割しておけば、該円弧状部４ａ1は外方へ撓み変形することが可能になるので、型抜きが容易となる。
【００１７】
係止突部６の下端係止部６ｂには型を抜きやすくするために、図１に示すように、傾斜を与えることができる。
【００１８】
また、上部６ｃには、薬剤入り容器ｂの密閉口部ｂ1の挿入をガイドするために、傾斜を与えることができる。
【００１９】
筒状差込口４の円弧状部４ａ1には、図１,２に示すように、係止突部６の左右両側部より下方に向けて縦凸条７が形成され、該縦凸条７の下端は、差込口下部４ｂの下端まで延出している。該縦凸条７は、差込口４内に薬剤入り容器ｂの密閉口部ｂ1を差し込み嵌合した時、該密閉口部ｂ1を外周面側から緊締固持する。縦凸条７は係止突部６の両側部に加え中間部（図２参照）にも形成してもよく、これにより緊締固持をより一層確実に行うことができる。
【００２０】
縦凸条７は 、図３に示すように、密閉口部ｂ1の外周面と差込口４との間に隙間８を発生させるので、その分、係止突部６の有効突出高さを減少させることになる。従って、縦凸条７の高さは、係止突部６の最大突出高さよりも小さいことが必要であり、通常は最大突出高さの１／２以下、好ましくは１／５〜１／３程度の範囲内に設定される。
【００２１】
両頭針Ａの針ホルダー３の周縁には、下記に述べるサポートリング内への嵌装設置状態での安定化を図るために振れ止め部９が形成されている。振れ止め部９として図１,２には筒状のものが示されているが、平面円弧状に分割されているような形状のものであってもよい。
【００２２】
図４に本発明の他の実施形態が示されている。本実施形態によれば、係止突部６は円弧状部４ａ1の両端部を除く中央領域に、円弧上の２点を弦６ａで結ぶような平面形状に形成されており、弦６ａの中点が最も突出高さが大きく、これより両端に至るに従い漸進的に突出高さが減ずるような構成になっていり、この点を除いては、図１,２に示す実施形態のものと実質的に異なるところがない。本実施形態では、係止突部６の平面積が小さいので、成型時に内型を抜きやすくなる。
【００２３】
図１〜２に示す本発明一実施形態の両頭針Ａの一使用状況が図５〜６に示され、
該両頭針Ａは溶解液入り容器ａと薬剤入り容器ｂとの結合操作に便ならしめるために、図５に示すように、予め溶解液入り容器ａ側に備え付けられている。
【００２４】
両頭針Ａの備え付けのために、溶解液入り容器ａの密閉口部ａ1には、該口部ａ1より上方へ同心状に突出するプラスチック製のサポートリング１０が例えば密閉口部ａ1の下端外周部に設けたねじ結合部１１の箇所で適宜取り外しできるように取り付け固定されている。
【００２５】
両頭針Ａは上記サポートリング１０内に嵌装状態に設置され、この設置状態に於いて、図５に示す上動限界位置と図６に示す下動限界位置との間を摺動移動出来るようになっている。サポートリング１０の上端には両頭針Ａを内部に収容するような形態で保護キャップ１２が適宜取り外しできるように取り付けられている。図５に於いて、１３は両頭針Ａを所定位置に仮止めするための凹凸嵌合部である。
【００２６】
図６は両頭針Ａを介し、溶解液入り容器ａと薬剤入り容器ｂとを内部連通状態に結合した状態を示している。この結合状態は、図５に示す状態から保護キャップ１２を取り外し、次いで、下向きにした薬剤入り容器ｂの密閉口部ｂ1と両頭針Ａの差込口４とを位置あわせした状態で、該容器ｂの密閉口部ｂ1を差込口４内に強く押し込み、この押し込みにつれて両頭針Ａを下動限界位置まで一気に移動させることにより得られる。
【００２７】
図６に示す結合状態に於いては、両頭針Ａの一方針部１が溶解液入り容器ａの密閉口部ａ1を刺入貫通し、又他方針部２が薬剤入り容器ｂの密閉口部ｂ1を刺入貫通し、もって両容器ａ、ｂ内は両頭針Ａを介し連通される。また、薬剤入り容器ｂの密閉口部ｂ1の後端の凹段部ｂ2に差込口４に設けた係止突部６が係止することに加え、図３に示すように、縦凸条７が上記密閉口部ｂ１に強く当接し、この部分を締め付ける。そして、これら係止力及び締め付け力により、他方針部２側の針抜け抵抗が高められる。
【００２８】
図６に示す状態で常法に従い所定の薬剤溶解操作と薬剤溶解液の溶解液入り容器側への移動操作が行われ、その後に、両容器ａ、ｂの結合が解かれる。
【００２９】
この際、薬剤入り容器ｂ側に於いては、係止突部６の係止力と、縦凸条７の圧接ひいては締め付け力とにより針抜け抵抗が高められているので、図７に示すように、針抜けは溶解液入り容器側で起こり、針抜け順序が規制される。
【００３０】
本発明においては、両頭針の振れ止め部９とサポートリング１０とは、図５に示すように、直接接するような構成になっていてもよし、或いは図８〜１０に示すように、振れ止め部９の外周面に形成した縦方向延出リブ１４、又は、図１１に示すように、サポートリング１０の内周面に形成した縦方向延出リブ１５を介し当接するような構成になっていてもよい。
【００３１】
【発明の効果】
本発明によれば、針抜け順序の規制を係止突部による係止力と縦凸条当圧による締め付け力との働きで行うような構成にしたので、係止力単独に見られる不安定さを解消でき、針抜け順序の規制強化が可能になる。
【図面の簡単な説明】
【図１】  本発明の一実施形態を示す縦断面図である。
【図２】  図１の平面図である。
【図３】  縦凸条の形成状況を示す部分拡大図である。
【図４】  本発明の他の実施形態を示す平面図である。
【図５】  図１〜２に示す本発明両頭針を予め溶解液入り容器に備え付けた状況を示す縦断面図である。
【図６】  同、両頭針を介し２つの容器を内部連通状態に結合した状況を示す縦断面図である。
【図７】  ２つの容器の連結を解いた状態を示す縦断面図である。
【図８】  本発明の他の実施形態を示す縦断面図である。
【図９】  図８の平面図である。
【図１０】  図８に示す両頭針をサポートリングに組み合わせた状況を示す縦断面図である。
【図１１】  サポートリングの変更例を示す縦断面図である
【図１２】  従来の両頭針を適用して２つの容器を結合した状況を示す縦断面図である。
【図１３】同、２つの容器の結合を解いた状況を示す縦断面図である。
【符号の説明】
１      一方針部
２      他方針部
３      針ホルダー
４      筒状差込口
５      スリット
６      係止突部
７      縦凸条
８      隙間
９      振れ止め部
１０    サポートリング
１１    ねじ結合部
１２    保護キャップ
１３    凹凸嵌合部
１４    縦方向延出リブ
１５    縦方向延出リブ
【図１】
0003947984.tif 000002
【図２】
0003947984.tif 000003
【図３】
0003947984.tif 000004
【図４】
0003947984.tif 000005
【図５】
0003947984.tif 000006
【図６】
0003947984.tif 000007
【図７】
0003947984.tif 000008
【図８】
0003947984.tif 000009
【図９】
0003947984.tif 000010
【図１０】
0003947984.tif 000011
【図１１】
0003947984.tif 000012
【図１２】
0003947984.tif 000013
【図１３】
0003947984.tif 000014